(57)【特許請求の範囲】
【請求項１】
ケース体の前面に透明な保護板を装着する時計であって、
上記ケース体の周縁部に形成され、上記保護板周縁部を支持する支持部と、
上記保護板の上記支持部で支持された部位より外周側の周辺部の所定領域における前面側と裏面側を挟持する挟持部と、上記挟持部の裏面側に形成された固定部とを有し、挟持部で保護板を挟持した状態で、上記固定部がケース体に対して固定されている保護板押さえと
を有する時計。
【請求項２】
上記固定部は螺着部を有し、当該螺着部が上記ケース体の裏面側から当該ケース体を貫通したネジにより螺着され、上記ケース体に対して固定されている
請求項１記載の時計。
【請求項３】
上記螺着部は、上記ケース体の支持部と略同じ高さを有する
請求項２記載の時計。
【請求項４】
上記ケース体の上記保護板押さえの裏面側と対向する面に、上記螺着部の先端部の所定の位置に保持可能な位置決め部が形成されている
請求項２または３記載の時計。
【発明の詳細な説明】
【０００１】
【発明の属する技術分野】
本発明は、たとえばからくり装置等を有する時計に係り、特に、時計の文字盤や装飾体の前面に装着するガラスやアクリル等からなる透明な保護板の取り付け構造に関するものである。
【０００２】
【従来の技術】
一般に、時計においては、文字盤や装飾体の前面に保護板としてのガラス板が装着される。
そして、たとえば文字盤に加えて装飾体を文字盤周辺等に配置した装飾時計等では、裏面にガラス板を時計ケース体に保持可能な保持部および時計ケース体に着脱自在に結合可能な結合部が設けられ、表面には装飾性を持たせた装飾枠が用いられている。
【０００３】
図１１は、この装飾枠を適用した装飾時計の外観を示す図である。
図１１に示すように、この装飾時計は、縦長の楕円形の装飾枠１に対して、同様に楕円形に形成された前面ガラス板２が取り付けられている。
前面ガラス板２は、その外周部の１２時および６時方向の２箇所（上下２箇所）、並びに３時および９時方向の２箇所（左右２箇所）で、ガラス押さえ３Ｕ，３Ｄ，３Ｒ，３Ｌにより、装飾枠１に対して固定されている。
【０００４】
図１２は、前面ガラス板２の装飾枠１に対する取り付け構造を示す断面図である。
図１２に示すように、時計のケース体１０の外周部に形成された突部１１で前面ガラス板２の裏面側の周縁部を支持した状態で、装飾枠１の内周部とケース体１０の外周部で形成された凹部にガラス押さえ３を挿入する。
そして、裏面側から装飾枠１を貫通させたネジ１２を、ガラス押さえ３に形成した取り付けボス１３に形成した雌ねじ部に螺着することにより、ガラス押さえ３を装飾枠１の内周部に固定させている。
これにより、前面ガラス板２の周縁部が、ガラス押さえ３の突部３ａと、ケース体１０の突部１１で挟持された形で固定される。
【０００５】
また、前面ガラス板２で保護された時計内の中央より上側に文字盤４が設けられ、下側に装飾部５が設けられている。
また、文字盤４の前面側には文字盤４の裏面側に配置された図示しないムーブメント駆動されるたとえば時針７および分針８が設けられている。
【０００６】
この装飾時計は、たとえば毎正時になると人形５ａ，５ｂが演奏の位置につき、人形５ａ，５ｂが図示しない放音部から放音されるメロディに合わせてオルガンを所定時間演奏し、演奏が終わると元の位置に戻るように構成される。
また、装飾部５の上部に設けられたベル５ｃ，５ｄは、たとえば常時揺動するように構成される。
【０００７】
【発明が解決しようとする課題】
ところで、上述した従来の装飾時計では、ガラス押さえの取り付けボス１３の位置がガラス外周部より外側に配置されることから、装飾枠１の幅を小さくしても、その分時計全体の外形が大きくなってしまう。
また、ガラス押さえ３のセットは、時計の正面側から必ず行わなければならず、作業性の面で問題がある。
【０００８】
また、装飾枠１を用いることによって時計に存在感が備わり、高級感をかもしだすことができるが、その分時計外形が大きくなることは避けられない。
また、図１１に示す例のように、装飾部５に配置される装飾体の動きが小さく比較的直線的なものでは気にならないが、たとえば装飾体を回転させてその動きを、限られた空間の中で最大限に大きく見せたい場合には、装飾枠１でその空間的な広がりを規制した形となり、装飾体の動きを大きく見せるには視覚的に限度がある。
【０００９】
また、従来の装飾時計では、装飾体個々の動きを重視したものが多く、複数の装飾体の動作を２次元的あるいは３次元的にオーバーラップさせて装飾効果を高めるような工夫が行われていない。
【００１０】
本発明は、かかる事情に鑑みてなされたものであり、その目的は、時計外形を小さくでき、また限られた空間内で装飾体の動きを最大限に大きくみせることができる時計を提供することにある。
【００１１】
【課題を解決するための手段】
上記目的を達成するため、本発明は、ケース体の前面に透明な保護板を装着する時計であって、上記ケース体の周縁部に形成され、上記保護板周縁部を支持する支持部と、上記保護板の上記支持部で支持された部位より外周側の周辺部の所定領域における前面側と裏面側を挟持する挟持部と、上記挟持部の裏面側に形成された固定部とを有し、挟持部で保護板を挟持した状態で、上記固定部がケース体に対して固定されている保護板押さえとを有する。
【００１２】
また、本発明では、上記固定部は螺着部を有し、当該螺着部が上記ケース体の裏面側から当該ケース体を貫通したネジにより螺着され、上記ケース体に対して固定されている。
【００１３】
また、本発明では、上記螺着部は、上記ケース体の支持部と略同じ高さを有する。
【００１４】
また、本発明では、上記ケース体の上記保護板押さえの裏面側と対向する面に、上記螺着部の先端部の所定の位置に保持可能な位置決め部が形成されている。
【００１５】
本発明によれば、ケース体の外周部に形成された支持部で保護板の裏面側の周縁部を支持した状態で、時計の側方から、保護板押さえの挟持部を保護板の側部を含む外周部に挿入するようにして装着する。
そして、固定部、たとえば螺着部の先端部を、ケース体に形成された位置決め部に位置決めする。
この状態で、時計の裏面側からケース体を貫通させたたとえばネジを、保護板押さえの螺着部に螺着することにより、保護板押さえをケース体の外周部に固定させる。
これにより、保護板の周縁部が、保護板押さえの挟持部で挟持された形で固定される。
【００１６】
【発明の実施の形態】
図１は本発明に係る装飾時計の一実施形態を示す正面図、図２は図１におけるＡ−Ａ線矢視方向の断面図である。
【００１７】
本実施形態に係る装飾時計１００は、縦長の楕円形のケース体１０１に対して、同様に楕円形に形成された保護板としての前面ガラス板１０２が取り付けられている。
前面ガラス板１０２は、その外周部の１２時および６時方向の２箇所（上下２箇所）、並びに３時および９時方向の２箇所（左右２箇所）で、ガラス押さえ１０３Ｕ，１０３Ｄ，１０３Ｒ，１０３Ｌにより、ケース体１０１に対して固定されている。
そして、前面ガラス板１０２は、裏面周縁部にたとえば黒色で枠部１０２ａが印刷されている。
【００１８】
また、前面ガラス板１０２で保護された時計内の中央より上側に文字盤１０４が設けられ、下側に装飾部１０５が設けられている。
文字盤１０４の前面側には文字盤１０４の裏面側に配置されたムーブメント１０６により駆動されるたとえば時針１０７および分針１０８が設けられている。
【００１９】
ケース体１０１の周縁部には、図２に示すように、時計の正面側からセットされる前面ガラス板１０２の周縁部を支持する突起状の支持部１０１ａが形成されている。
そして、前面ガラス板１０２は、ケース体１０１の支持部１０１ａで支持した状態で、上述したようにガラス押さえ１０３（Ｕ，Ｄ，Ｒ，Ｌ）によって固定されている。
【００２０】
ガラス押さえ１０３は、図２および図３に示すように、前面ガラス板１０２のケース体１０１の支持部１０１ａで支持された部位より外周側の周辺部の所定領域における前面側と裏面側を挟持する挟持部１０３１と、挟持部１０３１の裏面側に形成された螺着部としての雌ねじ部を有する取り付けボス１０３２と、装着時にケース体１０１の前面に当接して安定した装着状態を保持するための支持部１０３３とを有している。
【００２１】
挟持部１０３１は、支持部１０３３と連続して直線的に形成された基台部１０３１ａと、基台部１０３１ａの端部に形成され、装着時に前面ガラス板１０２の前面側に位置する前面片部１０３１ｂと、前面片部１０３１ｂに対して所定間隔をおいて平行に形成され、装着時に前面ガラス板１０２の裏面側の側部からケース体１０１の支持部１０１ａまで略達するように形成された後面片部１０３１ｃとを有している。
すなわち、挟持部１０３１は、基台部１０３１ａを底面として前面片部１０３１ｂと後面片部１０３１ｃで形成される溝部１０３１ｄに前面ガラス板１０２の側部を含む外周部を挿入するようにして装着される。
そして、後面片部１０３１ｃの裏面の略中央部には、面に対して垂直な方向に取り付けボス１０３２が形成されている。
この後面片部１０３１ｃの厚さと取り付けボス１０３２の高さ（長さ）は、ケース体１０１の支持部１０１ａと略同じ高さ（若干高く）に設定される。
【００２２】
また、ケース体１０１には、前面ガラス板１０２の裏面側と対向する面に、ガラス押さえ１０３の取り付けボスの先端部が収容可能な位置決め部としての位置決め溝１０１ｂが形成され、さらに、位置決め溝１０１ｂの中央部には、貫通孔であるネジ孔１０１ｃが形成されている。
【００２３】
このような構成を有するガラス押さえ１０３を用いた前面ガラス板１０２の装着は次のように行われる。
すなわち、ケース体１０１の外周部に形成されて支持部１０１ａで前面ガラス板１０２の裏面側の周縁部を支持した状態で、時計の側方から、ガラス押さえ１０３の挟持部１０３１における基台部１０３１ａを底面として前面片部１０３１ｂと後面片部１０３１ｃで形成される溝部１０３１ｄに前面ガラス板１０２の側部を含む外周部を挿入するようにして装着する。
そして、ガラス押さえ１０３の取り付けボス１０３１ｃを、ケース体１０１に形成された位置決め溝１０１ｂに収容させた状態で位置決めする。
この状態で、時計の裏面側からケース体１０１を貫通させたネジ１１０を、ガラス押さえ１０３の取り付けボス１０３２に形成した雌ねじ部に螺着することにより、ガラス押さえ１０３をケース体１０１の外周部に固定させる。
これにより、前面ガラス板１０２の周縁部が、ガラス押さえ１０３の挟持部１０３１で挟持された形で固定される。
また、この固定した状態では、ガラス押さえ１０３の支持部１０３３がケース体１０１の外周部前面に当接した状態となることから、がたつきが防止される。
【００２４】
装飾部１０５は、文字盤１０４の下部中央部に観覧車１０５１が回転可能に設けられている。この観覧車１０５１の周囲に観覧車１０５１の回転に応じて回転するように複数（本実施形態では３個）の気球飾り１０５２Ａ、１０５２Ｂ，１０５２Ｃが設けられている。
また、観覧車１０５１、気球飾り１０５２Ａ、１０５２Ｂ，１０５２Ｃの周囲には、たとえば透明のアクリル板の表面と裏面にスタンプ等により背景用建物群１０５３が形成されている。
さらには、文字盤１０４の下部側方には振子用飾り１０５４Ａ，１０５４Ｂが揺動するように配置されている。
【００２５】
以下に、観覧車１０５１、および気球飾り１０５２Ａ、１０５２Ｂ，１０５２Ｃの回転メカニズムについて図面に関連付けて説明する。
【００２６】
図４は、観覧車１０５１、および気球飾り１０５２Ａ、１０５２Ｂ，１０５２Ｃの回転機構を示す図であって、時計の裏面側から見た図である。
この回転機構２００は、駆動モータ２０１、駆動モータ２０１の回転軸に軸支された第１歯車２０２、第１歯車２０２と噛合する第２歯車２０３、第２歯車２０３と噛合する第３歯車２０４、第３歯車２０４と噛合する第４歯車２０５、第４歯車２０５の周囲にそれぞれ１２０度の角度をもって配置され、かつそれぞれが第４歯車２０５と噛合する第５歯車２０６、第６歯車２０７、および第７歯車２０８により構成されている。
【００２７】
第４歯車２０５の回転軸２０５ａに観覧車１０５１の回転軸が固定され、第５歯車２０６の回転軸２０６ａにクランク軸１０５５Ａの一端が固定され、第６歯車２０７の回転軸２０７ａにクランク軸１０５５Ｂの一端が固定され、第６歯車２０８の回転軸２０８ａにクランク軸１０５５Ｃの一端が固定されている。
そして、気球飾り１０５２Ａの裏面側がクランク軸１０５５Ａの他端に回転可能に取り付けられ、気球飾り１０５２Ｂの裏面側がクランク軸１０５５Ｂの他端に回転可能に取り付けられ、気球飾り１０５２Ｃの裏面側がクランク軸１０５５Ｃの他端に回転可能に取り付けられている。
各気球飾り１０５２Ａ、１０５２Ｂ、１０５２Ｃは、下部には所定の重さに設定された台座部（乗り込み部）Ｇが形成され、それぞれ各クランク軸１０５５Ａ、１０５５Ｂ、１０５５Ｃに回転可能に取り付けられていることにより、台座部Ｇの自重で、必ず図１に示すような正姿勢を保持する。
【００２８】
図２の断面図には、第４歯車２０５の軸に観覧車１０５１の回転軸が固定され、第６歯車２０７の回転軸２０７ａにクランク軸１０５５Ｂの一端が固定され、クランク軸１０５５Ｂの他端が気球飾り１０５２Ｂの裏面に回転可能に取り付けられている状態が示されている。
【００２９】
クランク軸１０５５Ｂは、図２に示すように、第６歯車２０７の半径と略同様の長さに設定され、鉛直方向に配置される第１軸１０５５ａと、第１軸１０５５ａの一端部から図中右方向に垂直に延びるように形成された第２軸１０５５ｂと、第１軸１０５５ａの他端部から図中左方向に垂直に延びるように形成された第３軸１０５５ｃとにより構成されている。
そして、第２軸１０５５ｂの先端部が第６歯車２０７の回転軸に固定され、第３軸１０５５ｃの先端部に気球飾り１０５２Ｂの裏面側が回転可能に取り付けられている。
また、第４歯車２０５の輪歯部を除く外周部の所定の位置に溝２０５ｂが形成されている。そして、第４歯車２０５の近傍には、溝２０５ｂにアクチュエータ２０９Ａが入出力（出没）可能なマイクロスイッチ２０９が配置されている。
具体的には、マイクロスイッチ２０９は、アクチュエータ２０９Ａが溝２０５ｂ内にあるときは、アクチュエータ２０９Ａが出力状態でたとえばオフ状態となり、溝２０５ｂ外にあるときは、第４歯車２０５の輪歯部を除く外周部を摺動し、この摺動時にはアクチュエータ２０９Ａが没状態でオン状態となるように配置されている。
【００３０】
また、駆動モータ２０１は、たとえば毎正時あるいは図示しないモニタスイッチが操作された場合に、図示しない制御部から駆動信号を受けて回転し、この回転に伴い、第４歯車２０５が回転してマイクロスイッチ２０９がオン状態となり、１回転してアクチュエータ２０９Ａが第４歯車２０５の溝２０５ｂに入り込みオフ状態になった時点で、制御部からの駆動信号の供給が停止されて回転を停止するように制御される。
【００３１】
また、第１〜第７歯車２０２〜２０８の歯数は、たとえば次のように設定される。
すなわち、第１歯車２０２の歯数Ｚ１は２２、第２歯車２０３の輪歯部の歯数Ｚ２ａは３０、第２歯車２０３の第４歯車２０５と噛合する軸部の歯数Ｚ２ｂは１２、第３歯車２０４の歯数Ｚ３は３８、第４歯車２０５の歯数Ｚ４は８８、第５歯車２０６の歯数Ｚ５は４４、第６歯車２０７の歯数Ｚ６は４４、第７歯車２０８の歯数Ｚ７は４４に設定される。
【００３２】
したがって、本実施形態に示す装飾部１０５においては、観覧車１０５１が１回転するに対して、気球飾り１０５２Ａ，１０５２Ｂ，１０５２Ｃは２回転する。
【００３３】
また、本実施形態に示す装飾部１０５においては、観覧車１０５１と、気球飾り１０５２Ａ，１０５２Ｂ，１０５２Ｃとは逆回転する。
【００３４】
次に、上記構成による装飾部１０５の動作を、図５、図６、および図７を参照しながら説明する。
図５は初期状態を示し、図６は観覧車が１２０度回転した状態を示し、図７は観覧車が２４０度回転した状態を示している。
【００３５】
まず、正時とならず、駆動モータ２０１が回転していないときは、図５に示すような初期状態に保持されている。
具体的には、気球飾り１０５２Ａは時計正面から見て観覧車１０５１の左斜め上方に位置し、気球飾り１０５２Ｂは観覧車１０５１のやや右下方に位置し、気球飾り１０５２Ｃは観覧車１０５１の右方向に位置している。
この場合、気球飾り１０５２Ｂと１０５２Ｃはやや接近した状態に保持され、気球飾り１０５２Ａは、気球飾り１０５２Ｂおよび１０５２Ｃとはやや離れた状態に保持される。
【００３６】
この状態で正時、たとえば午後１時となると、図示しない制御部から駆動信号が駆動モータ２０１に出力される。
駆動信号を受けた駆動モータ２０１は回転を開始し、その回転軸に取り付けられた第１歯車２０２が回転される。第１歯車２０２の回転は、第２歯車２０３、第３歯車２０４を介して第４歯車２０５に伝達される。
これにより、第４歯車２０５が所定方向、たとえば反時計回り方向に回転しだし、観覧車１０５１が反時計回り方向に回転を始める。
【００３７】
この第４歯車２０５の回転に伴い、マイクロスイッチ２０９のアクチュエータ２０９Ａが第４歯車２０５に形成された溝２０５ｂ外に出て第４歯車２０５の輪歯部を除く外周部を摺動し、これによりマイクロスイッチ２０９がオン状態となる。
【００３８】
また、第４歯車２０５の回転は第５歯車２０６、第６歯車２０７、および第７歯車２０８に伝達される。
これにより、第５歯車２０６、第６歯車２０７、および第７歯車２０８が時計回りに回転し、各気球飾り１０５２Ａ、１０５２Ｂ、１０５２Ｃも時計回りに回転を始める。
【００３９】
気球飾り１０５２Ａ、１０５２Ｂ、１０５２Ｃは、第５歯車２０６、第６歯車２０７、および第７歯車２０８と連結されたクランク軸１０５５Ａ、１０５５Ｂ、１０５５Ｃに回転可能に取り付けられ、台座部Ｇの自重により回転中も正姿勢を取りながら、各第５歯車２０６、第６歯車２０７、および第７歯車２０８の外周部と略同様の軌跡を辿るように、公転する。
【００４０】
そして、やがて観覧車１０５１が１２０度回転すると、図６に示すように、気球飾り１０５２Ａ、１０５２Ｂ、１０５２Ｃは、２４０度回転した位置に回転駆動される。
具体的には、気球飾り１０５２Ａは時計正面から見て観覧車１０５１の左方向に位置し、気球飾り１０５２Ｂは観覧車１０５１のやや左下方に位置し、気球飾り１０５２Ｃは観覧車１０５１の斜め右上方に位置する。
この場合、気球飾り１０５２Ａと１０５２Ｂは接近した状態となり、気球飾り１０５２Ｃは、気球飾り１０５２Ａおよび１０５２Ｂとは離れた状態となる。
【００４１】
そして、やがて観覧車１０５１が２４０度回転すると、図７に示すように、気球飾り１０５２Ａ、１０５２Ｂ、１０５２Ｃは、２４０度回転した位置に回転駆動される。
具体的には、気球飾り１０５２Ａは時計正面から見て観覧車１０５１の左方向に位置し、気球飾り１０５２Ｂは観覧車１０５１の下方に位置し、気球飾り１０５２Ｃは観覧車１０５１の右方向に位置する。
この場合、気球飾り１０５２Ａ、１０５２Ｂ、および１０５２Ｃは略同じ間隔をおいた状態となる。
【００４２】
そして、観覧車１０５１が１回転（３６０度回転）すると、マイクロスイッチ２０９のアクチュエータ２０９Ａが第４歯車２０５の溝に落ちこみ、マイクロスイッチ２０９がオフ状態となる。
マイクロスイッチ２０９がオフ状態となると、図示しない制御部による駆動信号の出力が停止され、駆動モータ２０１の回転が停止、第４歯車２０５の回転、すなわち観覧車１０５の回転が停止する。
第４歯車２０５の停止に伴い第５歯車２０６、第６歯車２０７、および第７歯車２０８の回転が停止する。
この場合、観覧車１０５が１回転（３６０度回転）して停止した時、気球飾り１０５２Ａ、１０５２Ｂ、１０５２Ｃは２回転（７２０回転）して図５に示す状態で停止する。
【００４３】
以上説明したように、本実施形態によれば、前面ガラス板１０２のケース体１０１の支持部１０１ａで支持された部位より外周側の周辺部の所定領域における前面側と裏面側を挟持する挟持部１０３１と、挟持部１０３１の裏面側に形成された雌ねじ部を有する取り付けボス１０３２と、装着時にケース体１０１の前面に当接して安定した装着状態を保持するための支持部１０３３とを有するガラス押さえ１０３を設け、ケース体１０１には、前面ガラス板１０２の裏面側と対向する面に、ガラス押さえ１０３の取り付けボスの先端部が収容可能な位置決め部としての位置決め溝１０１ｂを形成し、位置決め溝１０１ｂの中央部には、貫通孔であるネジ孔１０１ｃを形成し、ケース体１０１の裏面側からネジ１１０をガラス押さえ１０３の取り付けボス１０３２の螺着部に螺着することにより、ガラス押さえ１０３をケース体１０１に対して固定するようにしたので、時計の側方からガラス押さえをセットすることができ、作業が容易となり、また時計外形を小さくできる。そして、また限られた空間内で装飾体の動きを最大限に大きくみせることができる。
【００４４】
また、本実施形態では、装飾部１０５において、文字盤１０４の下部中央部に観覧車１０５１を回転可能に設け、観覧車１０５１の周囲に観覧車１０５１の回転に応じて回転するように複数（本実施形態では３個）の気球飾り１０５２Ａ、１０５２Ｂ，１０５２Ｃを設け、時計ケース体内部に、駆動モータ２０１、駆動モータ２０１の回転軸に軸支された第１歯車２０２、第１歯車２０２と噛合する第２歯車２０３、第２歯車２０３と噛合する第３歯車２０４、第３歯車２０４と噛合する第４歯車２０５、第４歯車２０５の周囲にそれぞれ１２０度の角度をもって配置され、かつそれぞれが第４歯車２０５と噛合する第５歯車２０６、第６歯車２０７、および第７歯車２０８により構成される回転機構を設け、第４歯車２０５の回転軸２０５ａに観覧車１０５１の回転軸を固定し、第５歯車２０６の回転軸２０６ａにクランク軸１０５５Ａの一端を固定し、第６歯車２０７の回転軸２０７ａにクランク軸１０５５Ｂの一端を固定し、第７歯車２０８の回転軸２０８ａにクランク軸１０５５Ｃの一端を固定し、クランク軸１０５５Ａの他端に気球飾り１０５２Ａの裏面を回転可能に取り付け、クランク軸１０５５Ｂの他端に気球飾り１０５２Ｂの裏面を回転可能に取り付け、クランク軸１０５５Ｃの他端に気球飾り１０５２Ｃの裏面を回転可能に取り付け、さらに、各気球飾り１０５２Ａ、１０５２Ｂ、１０５２Ｃは、下部には所定の重さに設定された台座部（乗り込み部）Ｇが形成し、台座部Ｇの自重で、必ず図１に示すような正姿勢を保持するようにしたので、中心飾りの観覧車１０５１の回りを複数の気球飾り１０５５Ａ，１０５５，Ｂ，１０５５Ｃが観覧車１０５１と逆方向にたとえば２倍の速度で自転しながら公転する。
したがって、限られた空間内で装飾体の動きを最大限に大きくみせることができ、また、装飾効果が高いという利点がある。
【００４５】
なお、本実施形態では、３個の気球飾り１０５２Ａ，１０５２Ｂ，１０５２Ｃを回転させる第５〜第７歯車２０６〜２０８を、観覧車１０５１を回転させる第４歯車２０５に直接噛合させて同じ方向に回転するようにしたが、本発明は、これに限定されるものではなく、輪列の組み合わせにより、たとえば図８に示すように、第４歯車２０５の軸部にたとえば歯数４４の第８歯車２１０を固定し、この第８歯車２１０と第５歯車２０６との間に、同じ歯数の第９歯車２１１を中間車として用いることにより、気球飾り１０５２Ａを残りの気球飾り１０５２Ｂ，１０５２Ｃと逆方向に回転させる等、種々の態様が可能である。
【００４６】
また、本実施形態では、気球飾り１０５２Ａ，１０５２Ｂ，１０５２Ｃは、単に気球の形に形成した装飾体としたが、たとえば図９に示すように、装飾体３００の幅方向に中空部３０１を設け、中空部に軸３０２を形成し、この軸３０２に回転飾り３０３を軸支し、かつ、クランク軸１０５５Ｂに回転飾り３０３の回転を所定範囲に規制するための規制軸３０４を設けて、装飾体３００内の回転飾りを、図１０に示すように、回転位置に応じた位置に位置させるように構成することにより、さらに複数の装飾体の動きがオーバーラップする形となることから装飾効果をさらに高めることができる。
【００４７】
【発明の効果】
以上説明したように、本発明によれば、時計の側方から保護体押さえをセットすることができ、作業が容易となり、また時計外形を小さくできる。そして、また限られた空間内で装飾体の動きを最大限に大きくみせることができる利点がある。
【図面の簡単な説明】
【図１】  本発明に係る装飾時計の一実施形態を示す正面図である。
【図２】  図１におけるＡ−Ａ線矢視方向の断面図である。
【図３】  本発明に係るガラス押さえの具体的な構成を説明するための図である。
【図４】  本発明に係る装飾体としての観覧車、および気球飾りの回転機構を説明するための図である。
【図５】  本発明に係る装飾体の動作を説明するための図であって、初期状態を示す図である。
【図６】  本発明に係る装飾体の動作を説明するための図であって、観覧車が１２０度回転したときの状態を示す図である。
【図７】  本発明に係る装飾体の動作を説明するための図であって、観覧車が２４０度回転したときの状態を示す図である。
【図８】  本発明に係る回転機構の他の実施形態を示す図である。
【図９】  本発明に係る装飾体の他の実施形態を示す図である。
【図１０】  図９の装飾体の回転時の動きを示す図である。
【図１１】  従来の装飾時計の構成例を示す図である。
【図１２】  従来の前面ガラス板の取り付け構造を説明するための図である。
【図１】
0003642990.tif 000002
【図２】
0003642990.tif 000003
【図３】
0003642990.tif 000004
【図４】
0003642990.tif 000005
【図５】
0003642990.tif 000006
【図６】
0003642990.tif 000007
【図７】
0003642990.tif 000008
【図８】
0003642990.tif 000009
【図９】
0003642990.tif 000010
【図１０】
0003642990.tif 000011
【図１１】
0003642990.tif 000012
【図１２】
0003642990.tif 000013